(57)【要約】【課題】コストを低減することができる現金管理装置の提供。【解決手段】現金管理装置本体に引き出し可能に設けられる収納庫が、枠体と、棒金Ｂを収納可能であって枠体に設けられる複数の棒金トレイ３８と、を備え、棒金トレイ３８が、棒金Ｂを立位状態で１カ所に複数本収納可能であって下方に凹む上方開口形状の棒金収納凹部４１と、棒金収納凹部４１の周囲に設けられ、棒金収納凹部４１内の満杯状態にない１本または複数本の棒金Ｂを立位状態に維持するように輪ゴムＲを係止可能な複数の係止部５０と、を有する。【選択図】図５
2016091151.tif 000002
【特許請求の範囲】
【請求項１】
現金管理装置本体と、
該現金管理装置本体に引き出し可能に設けられる収納庫と、を有する現金管理装置であって、
前記収納庫は、
枠体と、
棒金を収納可能であって前記枠体に設けられる複数の棒金トレイと、を備え、
前記棒金トレイは、
棒金を立位状態で１カ所に複数本収納可能であって下方に凹む上方開口形状の棒金収納凹部と、
該棒金収納凹部の周囲に設けられ、前記棒金収納凹部内の満杯状態にない１本または複数本の棒金を立位状態に維持するように輪ゴムを係止可能な複数の係止部と、を有することを特徴とする現金管理装置。
【請求項２】
前記複数の棒金トレイは、それぞれ収納する棒金の金種が決められており、
同一金種用の全ての前記棒金トレイが前記複数の係止部を有することを特徴とする請求項１記載の現金管理装置。
【請求項３】
前記棒金収納凹部に満杯に収納された棒金の隣り合うもの同士を結ぶ線の垂直二等分線上に前記係止部が配置されていることを特徴とする請求項１または２記載の現金管理装置。
【請求項４】
前記棒金収納凹部は、満杯に棒金を収納する状態で、それぞれ前記収納庫の引き出し方向に１列に並ぶ３本の棒金列、４本の棒金列および３本の棒金列を形成することを特徴とする請求項１乃至３のいずれか一項記載の現金管理装置。
【請求項５】
一つの前記棒金トレイに、棒金を満杯状態で５本収納する前記棒金収納凹部が２カ所設けられていることを特徴とする請求項１乃至３のいずれか一項記載の現金管理装置。
【請求項６】
前記係止部は、前記棒金収納凹部の上端開口部よりも上側位置に、前記棒金収納凹部とは水平反対方向に突出する突起部が形成されていることを特徴とする請求項１乃至５のいずれか一項記載の現金管理装置。
【発明の詳細な説明】
【技術分野】
【０００１】
本発明は、現金の管理に用いられる現金管理装置に関する。
【背景技術】
【０００２】
現金管理装置本体から引き出し可能に設けられた複数の収納庫に現金を収納し、現金の入出庫を行う現金管理装置がある（例えば特許文献１参照）。この現金管理装置には、複数の収納庫の中に棒金用の収納庫が設けられている。棒金用の収納庫では、満杯で棒金を１０本収納できる棒金トレイと、満杯にできない１０本未満の端数の棒金を収納できる棒金トレイとが金種別に用意されている。端数収納用の棒金トレイは、棒金の転倒防止用の補助棒を有しており、この点で、満杯収納用の棒金トレイとは異なっている。
【先行技術文献】
【特許文献】
【０００３】
【特許文献１】特開２０１３−１１８０１６号公報
【発明の概要】
【発明が解決しようとする課題】
【０００４】
上記の現金管理装置にあっては、棒金用の収納庫に複数の金種別の棒金トレイが装備されることになるが、金種別に満杯収納用と端数収納用の２種類の棒金トレイが使用されているため、コスト面で改善の余地があった。
【０００５】
本発明は、上記の点に鑑みなされたもので、コストを低減することができる現金管理装置の提供を目的とする。
【課題を解決するための手段】
【０００６】
上記目的を達成するために、請求項１に係る発明は、現金管理装置本体と、該現金管理装置本体に引き出し可能に設けられる収納庫と、を有する現金管理装置であって、前記収納庫は、枠体と、棒金を収納可能であって前記枠体に設けられる複数の棒金トレイと、を備え、前記棒金トレイは、棒金を立位状態で１カ所に複数本収納可能であって下方に凹む上方開口形状の棒金収納凹部と、該棒金収納凹部の周囲に設けられ、前記棒金収納凹部内の満杯状態にない１本または複数本の棒金を立位状態に維持するように輪ゴムを係止可能な複数の係止部と、を有することを特徴とする。
【０００７】
請求項２に係る発明は、請求項１に係る発明において、前記複数の棒金トレイは、それぞれ収納する棒金の金種が決められており、同一金種用の全ての前記棒金トレイが前記複数の係止部を有することを特徴とする。
【０００８】
請求項３に係る発明は、請求項１または２に係る発明において、前記棒金収納凹部に満杯に収納された棒金の隣り合うもの同士を結ぶ線の垂直二等分線上に前記係止部が配置されていることを特徴とする。
【０００９】
請求項４に係る発明は、請求項１乃至３のいずれか一項に係る発明において、前記棒金収納凹部は、満杯に棒金を収納する状態で、それぞれ前記収納庫の引き出し方向に１列に並ぶ３本の棒金列、４本の棒金列および３本の棒金列を形成することを特徴とする。
【００１０】
請求項５に係る発明は、請求項１乃至３のいずれか一項に係る発明において、一つの前記棒金トレイに、棒金を満杯状態で５本収納する前記棒金収納凹部が２カ所設けられていることを特徴とする。
【００１１】
請求項６に係る発明は、請求項１乃至５のいずれか一項に係る発明において、前記係止部は、前記棒金収納凹部の上端開口部よりも上側位置に、前記棒金収納凹部とは水平反対方向に突出する突起部が形成されていることを特徴とする。
【発明の効果】
【００１２】
請求項１に係る発明によれば、棒金トレイの１カ所の下方に凹む上方開口形状の棒金収納凹部に、満杯に棒金を収納すれば、棒金を立位状態で収納することができる。他方、棒金収納凹部に満杯に棒金を収納することができない場合は、棒金収納凹部の周囲に設けられた複数の係止部に輪ゴムを係止し、この輪ゴムで棒金収納凹部内の満杯状態にない１本または複数本の棒金を立位状態に維持することができる。よって、同じ棒金トレイを満杯収納用と端数収納用とで共用化しても、満杯の棒金および端数の棒金のいずれも立位状態で収納することができる。したがって、同じ棒金トレイを満杯収納用と端数収納用とで共用化できるため、コストを低減することができる。また、同じ棒金トレイを満杯収納用と端数収納用とで共用化した場合には、複数の棒金トレイの中から任意で満杯収納用と端数収納用とを設定することができる。したがって、使い勝手性が向上する。
【００１３】
請求項２に係る発明によれば、同一金種用の全ての棒金トレイが複数の係止部を有するため、同一金種用の全ての棒金トレイを共用化することができる。したがって、コストをより低減することができる。
【００１４】
請求項３に係る発明によれば、係止部が、棒金収納凹部に満杯に収納された棒金の隣り合うもの同士を結ぶ線の垂直二等分線上に配置されているため、これら隣り合う棒金のいずれにも輪ゴムを掛け易くなる。よって、係止部の数を減らすことができるため、コストをより低減することができる。
【００１５】
請求項４に係る発明によれば、棒金収納凹部は、満杯に棒金を収納する状態で、それぞれ収納庫の引き出し方向に１列に並ぶ３本の棒金列、４本の棒金列および３本の棒金列を形成するため、棒金収納凹部の周囲に複数の係止部を設けても棒金トレイの幅方向の拡大を抑制できる。
【００１６】
請求項５に係る発明によれば、一つの棒金トレイに、棒金を満杯状態で５本収納する棒金収納凹部が２カ所設けられているため、係止部に掛けられた輪ゴムと棒金収納凹部の壁面とによる棒金の支持がより安定する。加えて、棒金収納凹部が５本単位で棒金を収納するため、取り出し時や挿入時の本数管理が容易となり、使い勝手性が向上する。
【００１７】
請求項６に係る発明によれば、係止部の棒金収納凹部の上端開口部よりも上側位置に、棒金収納凹部とは水平反対方向に突出する突起部が形成されているため、輪ゴムの係止部からの外れを規制できる。したがって、係止部に掛けられた輪ゴムによる棒金の支持がより安定する。
【図面の簡単な説明】
【００１８】
【図１】本発明の第１実施形態に係る現金管理装置を示す斜視図である。
【図２】本発明の第１実施形態に係る現金管理装置を示す要部の制御系ブロック図である。
【図３】本発明の第１実施形態に係る現金管理装置の棒金収納庫を示す斜視図である。
【図４】本発明の第１実施形態に係る現金管理装置の棒金トレイを示す斜視図である。
【図５】本発明の第１実施形態に係る現金管理装置の棒金トレイを示すもので、（ａ）は平面図、（ｂ）は（ａ）のＡ−Ａ断面図である。
【図６】本発明の第１実施形態に係る現金管理装置の棒金トレイを示す平面図である。
【図７】本発明の第１実施形態に係る現金管理装置の棒金収納庫近傍を示す部分斜視図である。
【図８】本発明の第１実施形態に係る現金管理装置の棒金収納庫を示す平面図であって、（ａ）は現金管理装置本体に配置される下側の棒金検出センサとの対応関係を示すもの、（ｂ）は現金管理装置本体に配置される上側の棒金検出センサとの対応関係を示すものである。
【図９】本発明の第１実施形態に係る現金管理装置の収納庫近傍を示す側面図である。
【図１０】本発明の第２実施形態に係る現金管理装置の棒金トレイを示すもので、（ａ）は平面図、（ｂ）は（ａ）のＢ−Ｂ断面図である。
【図１１】本発明の第３実施形態に係る現金管理装置の棒金トレイを示すもので、（ａ）は平面図、（ｂ）は（ａ）のＣ−Ｃ断面図である。
【図１２】本発明の第４実施形態に係る現金管理装置の棒金トレイを示す平面図である。
【発明を実施するための形態】
【００１９】
「第１実施形態」
本発明の第１実施形態に係る現金管理装置を図１〜図９を参照して以下に説明する。
【００２０】
図１に示す第１実施形態に係る現金管理装置１０は、金融機関の店舗の係員側スペースに設置されて係員により取り扱われるものであり、より窓口カウンタに近い位置で使用され、主に小束紙幣および棒金を入出庫可能に収納するものである。
【００２１】
現金管理装置１０は、箱型の現金管理装置本体１１と、この現金管理装置本体１１に上下方向に複数段具体的には８段設けられた収納庫１２とを有している。これら収納庫１２は、その左右側壁に設けられたスライドレール１３を介して現金管理装置本体１１に対して水平方向に沿って引き出し可能となっている。これら収納庫１２は、前方に引き出されることで内部にアクセス可能となるように開かれ、後方に押し込まれると内部にアクセス不可となるように閉じられる。このように前後方向にのみ所定範囲でスライド可能となるように、各収納庫１２は現金管理装置本体１１に連結されている。
【００２２】
複数段の収納庫１２のうち、最も上側のものは、予備収納庫１２（Ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（Ｂ）となっており、下側３段が棒金を収納する棒金収納庫１２（Ｃ）となっている。勿論、収納庫１２の全体の数や、そのうちの小束収納庫１２（Ｂ）および棒金収納庫１２（Ｃ）の個々の数等は任意に設定可能であり、例えば、予備収納庫１２（Ａ）以外の全てを、棒金収納庫１２（Ｃ）とすることも勿論可能である。
【００２３】
現金管理装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００２４】
現金管理装置本体１１には、複数の収納庫１２のそれぞれに対して、収納庫１２を閉状態で個別にロックする図２に示すロック機構２２が設けられており、図１に示す複数の収納庫１２のそれぞれの側方に、ロック機構２２のロック解除時のみ点灯する表示灯２３が設けられている。さらに、現金管理装置本体１１には、図２に示すように、操作表示部１５、プリンタ１６、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００２５】
収納庫１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図１に示す小束収納庫１２（Ｂ）と棒金収納庫１２（Ｃ）とで共通となっている。枠体３４は、一対の側板部３２がスライドレール１３の一側に連結されており、スライドレール１３の他側が現金管理装置本体１１に連結されていて、これにより現金管理装置本体１１に対して引き出し可能となっている。
【００２６】
図３に示すように、棒金収納庫１２（Ｃ）は、棒金Ｂを入出庫可能に収納するものである。棒金収納庫１２（Ｃ）は、棒金Ｂを収納可能であって上記した枠体３４に取り付けられて固定される複数、具体的には、前後に金種径に応じて６つまたは５つ、左右に４列の合成樹脂製の図４にも示す棒金トレイ３８を有している。
【００２７】
ここで、各棒金トレイ３８は、それぞれ予め設定された単一の収納対象金種の棒金Ｂのみが収納されるように決められている。また、左右方向における同列に配置されて前後に１列に並ぶ複数の棒金トレイ３８は、全て収納対象金種が同一金種となっている。例えば、３段の棒金収納庫１２（Ｃ）のうちの最も上段の棒金収納庫１２（Ｃ）は、最も左側および左から２番目の２列の棒金トレイ３８が共に１円棒金収納用、最も右側および右から２番目の２列の棒金トレイ３８が共に５円棒金収納用となっている。また、３段の棒金収納庫１２（Ｃ）のうちの上から２段目の棒金収納庫１２（Ｃ）は、最も左側および左から２番目の２列の棒金トレイ３８が共に１０円棒金収納用、最も右側および右から２番目の２列の棒金トレイ３８が共に５０円棒金収納用となっている。また、３段の棒金収納庫１２（Ｃ）のうちの最下段の棒金収納庫１２（Ｃ）は、最も左側および左から２番目の２列の棒金トレイ３８が共に１００円棒金収納用、最も右側および右から２番目の２列の棒金トレイ３８が共に５００円棒金収納用となっている。勿論、各棒金収納庫１２（Ｃ）への収納金種は任意に設定可能であり、頻繁に出庫が行われる金種（１円棒金、１０円棒金および１００円棒金）を一つの棒金収納庫１２（Ｃ）に纏めて収納するようにしても良い。
【００２８】
棒金Ｂは、単一金種の硬貨を所定枚数（５０枚）だけ中心軸線を一致させて集積してなる集積硬貨を、その外周面全体に樹脂フィルムあるいは紙からなる包装紙を所定長さ巻き付けて一体化したものであり、略円柱状をなしている。
【００２９】
図３に示すように、棒金トレイ３８には、棒金Ｂが中心軸線を上下方向に沿わせた立位状態で収納される。図４に示すように、棒金トレイ３８は、長方形の平板状をなして水平に配置される基板部４０と、基板部４０の水平方向における内側部分に設けられて下方に凹む上方開口形状をなす棒金収納凹部４１とを有している。棒金トレイ３８は、この棒金収納凹部４１にその上端開口部を介して上方から棒金Ｂが挿入されることになり、棒金収納凹部４１は、このように挿入された棒金Ｂを図３に示すように上方に一部突出させて収納する。
【００３０】
図４に示すように、棒金収納凹部４１は、円筒を一部切り取った形状の湾曲壁面４２を、複数具体的には左側の３カ所と右側の３カ所と前端１カ所と後端１カ所の８カ所に有する鉛直方向に沿う筒状の壁部４３と、壁部４３の下部を閉塞するように全体として水平方向に沿う底部４４とを有している。壁部４３は、基板部４０よりも下方向に延出しており、よって、底部４４は基板部４０よりも下方に位置している。
【００３１】
湾曲壁面４２は、いずれも湾曲の中心を棒金収納凹部４１の内側に配置している。壁部４３および底部４４で形成される結果、棒金収納凹部４１は、下方に凹む上方開口形状をなしている。湾曲壁面４２は左側の３カ所が左右方向の位置を合わせており、右側の３カ所も左右方向の位置を合わせている。左右両側の前端の湾曲壁面４２は前後方向の位置を合わせており、中央前端の湾曲壁面４２はこれらよりも前側に突出するように配置されている。左右両側の後端の湾曲壁面４２は前後方向の位置を合わせており、中央後端の湾曲壁面４２はこれらよりも後側に突出するように配置されている。上記したように、棒金トレイ３８の棒金収納凹部４１は、予め設定された単一の収納対象金種の棒金Ｂのみが収納されることになり、棒金トレイ３８の棒金収納凹部４１の湾曲壁面４２の径は、収納対象金種の棒金Ｂの外径よりも若干大径となっている。
【００３２】
棒金トレイ３８の棒金収納凹部４１には、各湾曲壁面４２に近接するように湾曲壁面４２と同数の８本の棒金Ｂが環状に収納されることになり、これら８本の棒金Ｂの内側にさらに２本の棒金Ｂが前後に並んで収納されることになる。そして、このように、棒金収納凹部４１に満杯に棒金Ｂを収納する状態で、左側に、左右方向の位置を合わせて収納庫１２の引き出し方向である前後方向に１列に並べられる３本の棒金Ｂの列が形成され、右側に、左右方向の位置を合わせて前後方向に１列に並べられる３本の棒金Ｂの列が形成され、左右方向の中央に、左右方向の位置を合わせて前後方向に１列に並べられる４本の棒金Ｂの列が形成される。つまり、一つの棒金トレイ３８には、下方に凹む上方開口形状の棒金収納凹部４１が１カ所のみ形成されており、この１カ所の棒金収納凹部４１に、棒金Ｂが立位状態で所定の複数本（具体的には最大１０本）収納可能となっている。
【００３３】
左右２列の棒金Ｂは前後方向の位置を互いに合わせており、中央の棒金Ｂは、これらに対して前後方向の位置を棒金Ｂの半径分ずらしている。棒金Ｂは、棒金収納凹部４１に、その上部開口部を介して上方から挿入されることになり、棒金収納凹部４１に満杯に収納された状態では、棒金収納凹部４１の水平に配置された底部４４、鉛直に配置された壁部４３および鉛直に配置された他の棒金Ｂで支持されて中心軸線を鉛直配置した鉛直立位状態に維持される。棒金収納凹部４１に満杯に収納された状態で棒金Ｂがそれぞれ配置される位置が、棒金収納凹部４１内で１本の棒金Ｂが配置される１本収納空間４７となっている。
【００３４】
棒金収納凹部４１の底部４４の各棒金Ｂの収納位置、つまり各１本収納空間４７の底位置には、上下に貫通する貫通孔４６が形成されている。具体的に、貫通孔４６は、各湾曲壁面４２と同心をなすようにして湾曲壁面４２と同じ８カ所に形成され、さらに、これらの内側の前後２カ所に形成されている。貫通孔４６および１本収納空間４７は、満杯状態の棒金Ｂと同様、左側の３カ所が左右方向の位置を合わせて前後１列に並べられており、中央の４カ所が左右方向の位置を合わせて前後１列に並べられていて、右側の３カ所が左右方向の位置を合わせて前後１列に並べられている。
【００３５】
そして、第１実施形態において、棒金トレイ３８の棒金収納凹部４１の周囲の基板部４０には、無端環状の図５（ａ）に示す輪ゴムＲを掛けるための複数の柱状の係止部５０が立設されている。図５（ｂ）に示すように、これらの係止部５０は、基板部４０から棒金収納凹部４１の上端開口部よりも上方まで延出している。係止部５０は、図５（ａ）に示すように、壁部４３の隣り合う湾曲壁面４２の境界位置の外側に配置されており、全ての境界位置の外側に設けられている。より具体的には、隣り合う湾曲壁面４２の中心同士を結ぶ線の水平な垂直二等分線上に係止部５０は設けられている。よって、係止部５０の数は、湾曲壁面４２と同じ８カ所となっている。棒金収納凹部４１に収納対象金種の棒金Ｂが満杯に収納された状態で、各湾曲壁面４２には、棒金Ｂが同心状に配置されることになり、よって、全ての係止部５０は、棒金収納凹部４１に満杯に収納された棒金Ｂのうち壁部４３に近接配置されて互いに隣り合うもの同士を結ぶ線の水平な垂直二等分線上に配置されている。
【００３６】
図４に示すように、各係止部５０は、基板部４０から立ち上がる円柱状の柱状部５１と、柱状部５１の上端部から棒金収納凹部４１とは水平反対方向に突出する突起部５２とを有している。係止部５０に形成されたこの突起部５２は、柱状部５１と同心の扇状をなしており、より具体的には半円状をなしている。突起部５２は、図５（ｂ）に示すように全体が棒金収納凹部４１の上端開口部よりも上側に位置するように形成されている。
【００３７】
図５（ａ）および図６に示すように、複数の係止部５０は、棒金収納凹部４１内の満杯状態にない１本または複数本の棒金Ｂを立位状態に維持するように輪ゴムＲを係止可能となっている。例えば、棒金Ｂを１本だけ棒金収納凹部４１に収納する場合には、図５（ａ）に示すように、棒金Ｂを任意の湾曲壁面４２に近接配置し、この湾曲壁面４２に近い３カ所の係止部５０の柱状部５１に、これらの柱状部５１と棒金Ｂとを内側に配置しつつ輪ゴムＲを掛ける。すると、輪ゴムＲが棒金Ｂを近接する湾曲壁面４２に押し付ける。これにより、１本のみの棒金Ｂを立位状態に維持しつつ湾曲壁面４２の内側の１本収納空間４７に収納できる。この棒金Ｂの鉛直下方にはこの棒金Ｂが押し付けられた湾曲壁面４２と同心をなす貫通孔４６が配置されている。
【００３８】
また、例えば、棒金Ｂを３本だけ棒金収納凹部４１に収納する場合には、図６に示すように、これらの棒金Ｂを連続する３カ所の湾曲壁面４２に近接配置し、これら棒金Ｂが近接配置された３カ所の湾曲壁面４２に近い４カ所の係止部５０の柱状部５１に、これらの柱状部５１と３本の棒金Ｂとを内側に配置しつつ輪ゴムＲを掛ける。すると、輪ゴムＲが１本の棒金Ｂを近接する湾曲壁面４２に押し付けるとともにこの棒金Ｂを介して他の棒金Ｂをそれぞれ近接する湾曲壁面４２に押し付ける。これにより、３本のみの棒金Ｂを立位状態に維持しつつそれぞれ対応する湾曲壁面４２の内側の１本収納空間４７に収納できる。これらの棒金Ｂのそれぞれの鉛直下方には、これらの棒金Ｂが押し付けられた各湾曲壁面４２と同心をなす貫通孔４６が配置されている。適宜の係止部５０を選択して、選択した係止部５０の柱状部５１と棒金Ｂとを内側に配置するように輪ゴムＲを掛け、必要により複数本の輪ゴムＲを用いることで、１本〜９本の棒金Ｂを、立位状態を維持しつつそれぞれ対応する１本収納空間４７に収納することができる。図６に示す二点鎖線は、さらに１本の棒金Ｂを追加して収納する場合を示している。
【００３９】
現金管理装置１０の全ての棒金収納庫１２（Ｃ）に設けられる全ての棒金トレイ３８は、いずれも係止部５０を有している。つまり、同一金種用となる１円棒金用の全ての棒金トレイ３８が係止部５０を有する共通部品となっており、同一金種用となる５円棒金用の全ての棒金トレイ３８が係止部５０を有する共通部品となっており、同一金種用となる１０円棒金用の全ての棒金トレイ３８が係止部５０を有する共通部品となっており、同一金種用となる５０円棒金用の全ての棒金トレイ３８が係止部５０を有する共通部品となっており、同一金種用となる１００円棒金用の全ての棒金トレイ３８が係止部５０を有する共通部品となっており、同一金種用となる５００円棒金用の全ての棒金トレイ３８が係止部５０を有する共通部品となっている。
【００４０】
図４に示すように、各棒金トレイ３８には、それぞれの基板部４０の上面に、収納対象の金種を目視可能に明示する金種明示部６２が設けられている（図４は１０円棒金の例）。各棒金トレイ３８に収納すべき設定金種を示す収納金種データは、予め設定されて記憶部２６に記憶されることになる。
【００４１】
図７に示すように、現金管理装置本体１１の各棒金収納庫１２（Ｃ）が挿入される棒金収納庫挿入空間形成部７５の下部の前端部には、棒金収納庫１２（Ｃ）の左右４列の棒金トレイ３８のそれぞれの３列の貫通孔４６の直ぐ下側となる位置に、左右方向に同列で前後方向に並ぶ貫通孔４６を介して棒金Ｂの下端部の反射光を検出する光学反射型の棒金検出センサ７６が位置固定で設けられている。
【００４２】
また、現金管理装置本体１１の各棒金収納庫１２（Ｃ）が挿入される棒金収納庫挿入空間形成部７５の上部の前端部には、棒金収納庫１２（Ｃ）の左右４列の棒金トレイ３８のそれぞれの３列の１本収納空間４７の上方近接位置に、左右方向に同列で前後方向に並ぶ棒金Ｂの上端部の反射光を検出する光学反射型の棒金検出センサ７７が、それぞれ位置固定で設けられている。
【００４３】
つまり、棒金検出センサ７６は、図８（ａ）にも示すように、１つの棒金収納庫１２（Ｃ）に対し左右方向に並べられて１２カ所設けられ、棒金検出センサ７７も、図８（ｂ）にも示すように、１つの棒金収納庫１２（Ｃ）に対し左右方向に並べられて１２カ所設けられている。
【００４４】
棒金検出センサ７６は、検出方向を上方に向けており、各発光素子が上方に発光した光の上方からの反射光を対応する受光素子で受光するようになっている。その結果、各棒金収納庫１２（Ｃ）のそれぞれの直ぐ下に設けられた棒金検出センサ７６が、これらの直ぐ上で前後にスライドする棒金収納庫１２（Ｃ）の各棒金収納凹部４１に収納された棒金Ｂの下端部の反射光データである貨幣検出データを貫通孔４６を介して取得することになる。
【００４５】
棒金検出センサ７７は、検出方向を下方に向けており、各発光素子が下方に発光した光の下方からの反射光を対応する受光素子で受光するようになっている。その結果、各棒金収納庫１２（Ｃ）のそれぞれの直ぐ上に設けられた棒金検出センサ７７が、これらの直ぐ下で前後にスライドする棒金収納庫１２（Ｃ）の各棒金収納凹部４１に収納された棒金Ｂの上端部の反射光データである貨幣検出データを取得することになる。
【００４６】
なお、検出対象となる棒金収納庫１２（Ｃ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、棒金検出センサ７６，７７は、検出対象となる棒金収納庫１２（Ｃ）の各棒金収納凹部４１の前後方向の全範囲を検出できるようになっている。棒金検出センサ７６は、棒金収納庫１２（Ｃ）の開閉に伴って通過する、この棒金収納庫１２（Ｃ）内の棒金Ｂの下端部から貨幣検出データを取得することになり、棒金検出センサ７７は、棒金収納庫１２（Ｃ）の開閉に伴って通過する、この棒金収納庫１２（Ｃ）内の棒金Ｂの上端部から貨幣検出データを取得することになる。
【００４７】
ここで、制御部２５は、棒金検出センサ７６，７７の貨幣検出データから、反射光量が多い棒金Ｂの部分と、棒金Ｂがなく反射光量が少なくなる他の部分とを区別することで、棒金Ｂが収納されている範囲を検出するとともに、棒金Ｂの反射光量から金種等を識別することになる。
【００４８】
制御部２５は、後述するロータリエンコーダ８８で検知ディスク８７のスリットを検知する毎に棒金検出センサ７６，７７のそれぞれの貨幣検出データを取り込むことになり、取り込んだそれぞれの貨幣検出データを、後述するロータリエンコーダ８８の開閉位相データに基づいて、例えば所定の一定開閉速度での貨幣検出データに補正する。
【００４９】
そして、制御部２５は、棒金検出センサ７６，７７で棒金Ｂが検出されている範囲を基準として検出範囲を設定し、この検出範囲における、棒金検出センサ７６，７７の補正後の貨幣検出データと、記憶部２６に記憶された棒金Ｂ用の数量マスタデータとを照合することで、棒金収納庫１２（Ｃ）内の棒金Ｂの数量である数量検出データを取得する。例えば、棒金検出センサ７６，７７の補正後の貨幣検出データの中で、一つの棒金Ｂと判断できる、数量マスタデータの棒金判断基準光量データ以上の光量があり且つ数量マスタデータの棒金判断基準面積データ以上の纏まった面積を有する棒金部分を数えて、これを棒金Ｂの数量である数量検出データとする。
【００５０】
また、制御部２５は、上記検出範囲における、棒金検出センサ７６，７７の補正後の貨幣検出データと、記憶部２６に記憶された金種マスタデータとを照合することで、棒金収納庫１２（Ｃ）内の棒金Ｂの金種である金種検出データを取得する。例えば、棒金検出センサ７６，７７の補正後の貨幣検出データの中で、上記のように検出した棒金部分と前後方向位置が同じ部分のデータから、光量が金種マスタデータの棒金判断基準光量データ以上となる部分と未満となる部分との境界位置を割り出して、棒金Ｂの外径および孔の有無を求め、これらと棒金部分の貨幣検出データの反射光量とを金種マスタデータの金種基準データと比較して、許容範囲内で一致する金種基準データに対応する金種を、この棒金部分に対応する棒金Ｂの金種とする金種検出データを取得する金種判断を行う。
【００５１】
なお、制御部２５は、左右方向の位置が合う棒金検出センサ７６，７７の両方のデータを総合して棒金Ｂの数量検出データおよび金種検出データ等を取得することになり、棒金検出センサ７６，７７の各組それぞれについて、別々に、棒金Ｂの数量検出データおよび金種検出データを取得する。
【００５２】
現金管理装置本体１１内には、前後位置に、図９に示すように、支持軸８１，８２を介して歯付プーリ８３，８４が位置固定で回転可能に設けられており、後端の歯付プーリ８４の上側にも、支持軸８５を介して歯付プーリ８６が位置固定で回転可能に設けられている。支持軸８５には、所定の等間隔でスリットが形成された検知ディスク８７が歯付プーリ８６と一体回転するように設けられており、現金管理装置本体１１には、検知ディスク８７の上側に検知ディスク８７の回転を検知するロータリエンコーダ８８が位置固定で設けられている。なお、ロータリエンコーダ８８は、検知ディスク８７のスリットの検知数から検知ディスク８７の回転量を検知することになり、単位時間当たりのスリットの検知数から検知ディスク８７の回転速度を検知することになる。
【００５３】
そして、三つの歯付プーリ８３，８４，８６にはタイミングベルト９１が巻回されており、このタイミングベルト９１には、収納庫１２のうちの対応するものの後端部が固定されている。これにより、収納庫１２が開閉されるとこれに連動してタイミングベルト９１が回転して三つの歯付プーリ８３，８４，８６および検知ディスク８７を回転させることになり、よって、ロータリエンコーダ８８が、検知ディスク８７の回転データである個別の収納庫１２の開閉位相データを取得することになる。制御部２５は、この開閉位相データから収納庫１２の開閉方向およびその位置を割り出すことになり、移動量を時間で除算することで収納庫１２の開閉速度を割り出すことになる。なお、検知ディスク８７と一体回転する歯付プーリ８６の前方にはタイミングベルト９１の弛みをとるテンションプーリ９２が設けられている。
【００５４】
また、現金管理装置本体１１には、対応する収納庫１２の後端部の検知片９５を検知することで、この収納庫１２が現金管理装置本体１１に最も押し込まれた後端位置である全閉位置にあることを示す開閉位相データを取得する位置固定の全閉検知センサ９６が収納庫１２のそれぞれに対して設けられている。現金管理装置本体１１には、収納庫１２の後端部の検知片９５を検知することで、この収納庫１２が現金管理装置本体１１から最も引き出された前端位置である全開位置にあることを示す開閉位相データを取得する位置固定の全開検知センサ９７が収納庫１２のそれぞれに対して設けられている。つまり、全閉検知センサ９６および全開検知センサ９７は、収納庫１２の開閉位相情報を取得する。
【００５５】
加えて、現金管理装置本体１１には、図２に示すように、収納庫１２を個別に全閉位置でロックするロック機構２２が設けられている。ロック機構２２は、制御部２５から出力される開指令信号で開状態となる。制御部２５は、開状態とした収納庫１２が現金管理装置本体１１から引き出されると開指令信号を停止させることになり、この状態でロック機構２２は、収納庫１２が全閉位置に戻されると、収納庫１２を引き出し不可に自動的かつ機械的にロックする。
【００５６】
以上に述べた第１実施形態に係る現金管理装置１０によれば、棒金トレイ３８の１カ所の下方に凹む上方開口形状の棒金収納凹部４１に満杯に棒金Ｂを収納すれば、これら棒金Ｂをそれぞれ１本収納空間４７に配置し立位状態で収納することができる。他方、棒金収納凹部４１に満杯に棒金Ｂを収納することができない場合は、棒金収納凹部４１の周囲に設けられた複数の係止部５０の中から適宜選択して輪ゴムＲを係止し、この輪ゴムＲで棒金収納凹部４１内の満杯状態にない１本または複数本の棒金Ｂをそれぞれ１本収納空間４７に配置して立位状態に収納することができる。よって、同じ棒金トレイ３８を満杯収納用と端数収納用とで共用化（共通部品化）しても、満杯の棒金Ｂおよび端数の棒金Ｂのいずれも立位状態でそれぞれ１本収納空間４７に収納することができる。したがって、同じ棒金トレイ３８を満杯収納用と端数収納用とで共用化できるため、コストを低減することができる。
【００５７】
また、同じ棒金トレイ３８を満杯収納用と端数収納用とで共用化するため、複数の棒金トレイ３８の中から任意で満杯収納用と端数収納用とを設定することができる。したがって、使い勝手性が向上する。
【００５８】
また、収納する棒金Ｂの全ての金種について、同一金種用の全ての棒金トレイ３８が複数の係止部５０を有するため、収納する棒金Ｂの全ての金種について、同一金種用の全ての棒金トレイ３８を共用化することができる。したがって、コストをより低減することができる。
【００５９】
また、係止部５０が、棒金収納凹部４１に満杯に収納された棒金Ｂの隣り合うもの同士を結ぶ線の垂直二等分線上に配置されているため、これら隣り合う棒金Ｂのいずれにも輪ゴムＲを掛け易くなる。よって、係止部５０の数を減らすことができるため、コストをより低減することができる。
【００６０】
また、棒金収納凹部４１は、満杯に棒金Ｂを収納する状態で、それぞれ収納庫１２の引き出し方向に１列に並ぶ３本の棒金列、４本の棒金列および３本の棒金列を形成するため、棒金収納凹部４１の周囲に複数の係止部５０を設けても棒金トレイ３８の幅方向（左右方向）の拡大を抑制できる。
【００６１】
また、係止部５０の棒金収納凹部４１の上端開口部よりも上側位置に、棒金収納凹部４１とは水平反対方向に突出する突起部５２が形成されているため、柱状部５１に掛けられた輪ゴムＲの係止部５０からの外れを規制できる。したがって、係止部５０に掛けられた輪ゴムＲによる棒金Ｂの支持がより安定する。
【００６２】
「第２実施形態」
本発明の第２実施形態に係る現金管理装置を主に図１０を参照して第１実施形態との相違部分を中心に以下に説明する。
【００６３】
図１０に示すように、第２実施形態では、一つの棒金トレイ３８に、棒金Ｂを満杯状態で５本収納する同形状の棒金収納凹部４１ａが２カ所設けられている。これら一対の棒金収納凹部４１ａは、基板部４０の中間部に前後に隣接して形成されている。
【００６４】
前側（図１０（ａ）では下側）の棒金収納凹部４１ａは、鉛直方向に沿う壁部４３ａと、壁部４３ａの下部を閉塞する全体として水平方向に沿う底部４４ａとを有している。壁部４３ａは、基板部４０よりも下方向に延出しており、よって、底部４４ａは基板部４０よりも下方に位置している。前側の棒金収納凹部４１ａの壁部４３ａは、左側に、円筒を一部切り取った形状の２カ所の湾曲壁面４２ａが左右方向の位置を合わせて前後に連設されており、右側に、円筒を一部切り取った形状の２カ所の湾曲壁面４２ａが前側のものが後側のものよりも左側に位置するように連設されている。これら湾曲壁面４２ａのうち、前側の左右の湾曲壁面４２ａは右側のものが左側のものよりも前側に位置しており、後側の左右の湾曲壁面４２ａも右側のものが左側のものよりも前側に位置している。これにより、前側の棒金収納凹部４１ａは、左側２カ所の湾曲壁面４２ａのうちの前側の一方と右側２カ所の湾曲壁面４２ａのうちの前側の一方とが対向しこれらの間隔が、後側で対向する他方同士の間隔よりも狭くなっている。
【００６５】
前側の棒金収納凹部４１ａの壁部４３ａは、前側の左右の湾曲壁面４２ａを結ぶ長さが短い平坦壁面４２ｂと、後側の左右の湾曲壁面４２ａを結ぶ長さが長い平坦壁面４２ｃとを有している。
【００６６】
後側の棒金収納凹部４１ａも、鉛直方向に沿う壁部４３ａと、壁部４３ａの下部を閉塞する全体として水平方向に沿う底部４４ａとを有している。前後の棒金収納凹部４１ａは近接配置されており、お互いの壁部４３ａの一部を共用している。後側の棒金収納凹部４１ａの壁部４３ａは、右側に、円筒を一部切り取った形状の２カ所の湾曲壁面４２ａが左右方向の位置を合わせて前後に連設されており、左側に、円筒を一部切り取った形状の２カ所の湾曲壁面４２ａが後側のものが前側のものよりも右側に位置するように連設されている。これら湾曲壁面４２ａのうち、後側の左右の湾曲壁面４２ａは右側のものが左側のものよりも前側に位置しており、前側の左右の湾曲壁面４２ａも右側のものが左側のものよりも前側に位置している。これにより、後側の棒金収納凹部４１ａは、左側２カ所の湾曲壁面４２ａのうちの後側の一方と右側２カ所の湾曲壁面４２ａのうちの後側の一方とが対向しこれらの間隔が、前側で対向する他方同士の間隔よりも狭くなっている。
【００６７】
後側の棒金収納凹部４１ａの壁部４３ａは、後側の左右の湾曲壁面４２ａを結ぶ長さが短い平坦壁面４２ｂと、前側の左右の湾曲壁面４２ａを結ぶ長さが長い平坦壁面４２ｃとを有している。
【００６８】
前後共に、棒金収納凹部４１ａに設けられた湾曲壁面４２ａは、いずれも湾曲の中心をそれぞれが設けられた棒金収納凹部４１ａの内側に配置しており、２カ所の平坦壁面４２ｂ，４２ｃは互いに平行をなしている。２カ所の棒金収納凹部４１ａは、予め設定された単一の収納対象金種の棒金Ｂのみが収納されることになり、湾曲壁面４２ａの径は、収納対象金種の棒金Ｂの外径よりも若干大径となっている。
【００６９】
前後の棒金収納凹部４１ａは、それぞれ、互いに対向する間隔が狭い側の湾曲壁面４２ａの間に、これらを結ぶ方向に並んで２カ所の１本収納空間４７が設けられており、よって、間隔が狭い側の湾曲壁面４２ａの間は、棒金Ｂを２本並べて収納する２本収納空間１０１となっている。また、互いに対向する間隔が広い側の湾曲壁面４２ａの間には、これらを結ぶ方向に並んで３カ所の１本収納空間４７が設けられており、よって、間隔が広い側の湾曲壁面４２ａの間は、棒金Ｂを３本並べて収納する３本収納空間１０２となっている。
【００７０】
２本収納空間１０１と３本収納空間１０２とは互いに平行をなして隣接している。よって、棒金収納凹部４１ａは、２本収納空間１０１の延在方向の両外側に２本収納空間１０１内に中心を有する湾曲壁面４２ａを有しており、３本収納空間１０２の延在方向の両外側に３本収納空間１０２内に中心を有する湾曲壁面４２ａを有していて、２本収納空間１０１および３本収納空間１０２の配列方向の両外側に平坦壁面４２ｂ，４２ｃを有している。
【００７１】
２本収納空間１０１に収納された棒金Ｂに対して、３本収納空間１０２に収納された棒金Ｂは棒金Ｂの半径分ずれている。棒金Ｂは、棒金収納凹部４１ａにも、その上部開口を介して上方から挿入されることになり、棒金収納凹部４１ａに満杯に収納された状態では、棒金収納凹部４１ａの壁部４３ａおよび他の棒金Ｂで支持されて中心軸線を鉛直配置した鉛直立位状態に維持される。底部４４ａの各棒金Ｂの収納位置、つまり各１本収納空間４７の底位置には、棒金Ｂを検出するための、上下に貫通する貫通孔４６が形成されている。つまり、貫通孔４６は、各湾曲壁面４２ａと同心をなすようにして湾曲壁面４２ａと同じ４カ所に形成され、さらに、３本収納空間１０２を形成する湾曲壁面４２ａ間の中央の１カ所に形成されている。
【００７２】
一つの棒金トレイ３８の２カ所の２本収納空間１０１および２カ所の３本収納空間１０２が前後方向つまり収納庫１２の引き出し方向とは異なる同方向に傾斜している。しかも、一つの棒金トレイ３８の２カ所の棒金収納凹部４１ａは、相互近接側に３本収納空間１０２を平行に配置しており、相互離間側に２本収納空間１０１を平行に配置している。
【００７３】
ここで、２本収納空間１０１および３本収納空間１０２の傾斜角度は、以下のように設定されている。前側の棒金収納凹部４１ａの３本収納空間１０２の右側の１本収納空間４７と、後側の棒金収納凹部４１ａの２本収納空間１０１および３本収納空間１０２のそれぞれの右側の１本収納空間４７との３カ所が、左右方向の位置を合わせて収納庫１２の引き出し方向である前後方向に１列に並べられる。また、前側の棒金収納凹部４１ａの２本収納空間１０１および３本収納空間１０２のそれぞれの左側の１本収納空間４７と、後側の棒金収納凹部４１ａの３本収納空間１０１の左側の１本収納空間４７との３カ所が、左右方向の位置を合わせて収納庫１２の引き出し方向である前後方向に１列に並べられる。そして、これらの間に、両方の棒金収納凹部４１ａの残りの２カ所ずつの１本収納空間４７が、左右方向の位置を合わせて収納庫１２の引き出し方向である前後方向に１列に並べられる。このような配置となるように２本収納空間１０１および３本収納空間１０２の傾斜角度が設定されている。
【００７４】
第２実施形態においても、棒金トレイ３８の棒金収納凹部４１ａの周囲の基板部４０に、上記と同様の輪ゴムＲを掛けるための複数の柱状の係止部５０が立設されている。壁部４３ａの隣り合って連続する湾曲壁面４２ａの中心同士を結ぶ線の水平な垂直二等分線上に係止部５０が設けられており、このような配置の係止部５０が、連続する湾曲壁面４２ａの組数と同じ４カ所に設けられている。これらの係止部５０は、棒金収納凹部４１ａに満杯に収納された棒金Ｂのうち、連続する湾曲壁面４２ａに近接して隣り合うもの同士を結ぶ線の垂直二等分線上に配置されている。
【００７５】
また、壁部４３ａの平坦壁面４２ｂの水平な垂直二等分線上に係止部５０が設けられており、このような配置の係止部５０が、平坦壁面４２ｂの数と同じ２カ所に設けられている。これらの係止部５０も、２カ所の棒金収納凹部４１ａに満杯に収納された棒金Ｂのうち、平坦壁面４２ｂに近接して隣り合うもの同士を結ぶ線の垂直二等分線上に配置されている。
【００７６】
さらに、２カ所の棒金収納凹部４１ａのいずれも３本収納空間１０１を形成する部分の左右方向の位置が合って前後に隣り合う湾曲壁面４２ａの中心同士を結ぶ線の垂直二等分線上に係止部５０が設けられており、このような配置の係止部５０が、２カ所に設けられている。これらの係止部５０も、２カ所の棒金収納凹部４１ａに満杯に収納された棒金Ｂのうち、上記湾曲壁面４２ａに近接して隣り合うもの同士を結ぶ線の垂直二等分線上に配置されている。
【００７７】
よって、係止部５０の数は、上記と同じ８カ所となっている。この場合も、複数の係止部５０は、棒金収納凹部４１内の満杯状態にない１本または複数本の棒金Ｂを立位状態に維持するように輪ゴムＲを係止可能となっている。
【００７８】
このように、一つの棒金トレイ３８に、棒金Ｂを満杯状態で５本収納する棒金収納凹部４１ａが２カ所設けられている構成とすれば、２カ所の棒金収納凹部４１に満杯に棒金Ｂを収納することができない場合であっても、５本であれば棒金Ｂを立位状態で収納することができる。また、棒金収納凹部４１ａ内の満杯状態にない１本〜４本の棒金Ｂについても、直接湾曲壁面４２ａまたは平坦壁面４２ｂ，４２ｃに当接させた状態で、係止部５０に掛けられた輪ゴムＲで支持することができるため、より安定して立位状態に支持できる。加えて、棒金収納凹部４１ａが５本単位で棒金Ｂを収納するため、取り出し時や挿入時の本数管理が容易となり、使い勝手性が向上する。
【００７９】
「第３実施形態」
本発明の第３実施形態に係る現金管理装置を主に図１１を参照して第２実施形態との相違部分を中心に以下に説明する。
【００８０】
図１１に示すように、第３実施形態では、各棒金収納凹部４１ａの底部４４ａに、貫通孔４６にかえて、満杯状態にある棒金Ｂの下端加締部ＰＫのそれぞれの内側に嵌合する定位置座部１１１が設けられている。つまり、全ての１本収納空間４７のそれぞれ底位置に定位置座部１１１が設けられている。定位置座部１１１は複数具体的には二つのの分割部１１２に分割されている。これらの分割部１１２は、平面視略楕円形の短柱状をなしており、互いに長軸を平行させ、長軸方向の位置を合わせている。定位置座部１１１は、これらの分割部１１２が棒金Ｂの下端加締部ＰＫの内側に嵌合する。
【００８１】
ここで、２本収納空間１０１の２カ所の定位置座部１１１は、いずれも２本収納空間１０１における棒金配列方向に分割部１１２が並んでおり、３本収納空間１０２の３カ所の定位置座部１１１は、いずれも３本収納空間１０２における棒金配列方向に分割部１１２が並んでいる。
【００８２】
そして、２本収納空間１０１の隣り合う定位置座部１１１は、互いに近接する分割部１１２が１本の棒金Ｂの下端加締部ＰＫの内側に同時に嵌合可能となっている。よって、２本収納空間１０１の２カ所の定位置座部１１１は、異なる３位置の棒金Ｂの下端加締部ＰＫの内側に嵌合可能となっている。また、３本収納空間１０２の隣り合う定位置座部１１１は、互いに近接する分割部１１２が１本の棒金Ｂの下端加締部ＰＫの内側に同時に嵌合可能となっている。よって、３本収納空間１０２の３カ所の定位置座部１１１は、異なる５位置の棒金Ｂの下端加締部ＰＫの内側に嵌合可能となっている。
【００８３】
定位置座部１１１には、嵌合された棒金Ｂの有無および金種を検出する磁気センサ等のセンサ１１５がそれぞれの一方の分割部１１２のみに設けられており、しかも、隣り合う定位置座部１１１において、互いに近接する分割部１１２の一方のみにセンサ１１５が設けられている。具体的に、２本収納空間１０１の４カ所の分割部１１２の一つおきの２カ所にセンサ１１５が設けられており、３本収納空間１０１の６カ所の分割部１１２の一つおきの３カ所にセンサ１１５が設けられている。
【００８４】
このように構成すれば、定位置座部１１１そのものの２カ所の分割部１１２に棒金Ｂの下端加締部ＰＫを嵌合させたり、隣り合う定位置座部１１１の近接する２カ所の分割部１１２に棒金Ｂの下端加締部ＰＫを嵌合させたりすることができる。よって、端数収納用の棒金トレイ３８として使用した場合に、棒金Ｂの収納位置の自由度が高まることになり、使い勝手性を向上させることができる。
【００８５】
「第４実施形態」
本発明の第４実施形態に係る現金管理装置を主に図１２を参照して第２実施形態との相違部分を中心に以下に説明する。
【００８６】
図１２に示すように、第４実施形態では、一つの棒金トレイ３８に、棒金Ｂを満杯状態で２本収納する棒金収納凹部４１ｄが５カ所設けられている。これらの棒金収納凹部４１ｄは、基板部４０の中間部に纏めて形成されている。これらの棒金収納凹部４１ｄは、それぞれが、円筒を一部切り取った形状の一対の湾曲壁面４２ｄが対向配置され、これらの湾曲壁面４２ｄを２カ所の平坦壁面４２ｅで連結した形状の内壁面を有する鉛直方向に沿う壁部４３ｄと、壁部４３ｄの下部を閉塞する全体として水平方向に沿う底部４４ｄとを有している。２カ所の湾曲壁面４２ｄは、いずれも湾曲の中心をそれぞれが形成された棒金収納凹部４１ｄの内側に配置しており、２カ所の平坦壁面４２ｅは互いに平行をなしている。湾曲壁面４２ｄの間には、これらを結ぶ方向に並んで２カ所の１本収納空間４７が設けられている。５カ所の棒金収納凹部４１ｄは、予め設定された単一の収納対象金種の棒金Ｂのみが収納されることになり、湾曲壁面４２ｄの径は、収納対象金種の棒金Ｂの外径よりも若干大径となっている。
【００８７】
ここで、５カ所の棒金収納凹部４１ｄの配置は、以下のように設定されている。一の中央の棒金収納凹部４１ｄが前後方向に延在するように配置され、この棒金収納凹部４１ｄの前後に、この棒金収納凹部４１ｄと一方の１本収納空間４７が左右方向の位置を合わせるように２カ所の棒金収納凹部４１ｄを配置する。これら前後の棒金収納凹部４１ｄは、中央の棒金収納凹部４１ｄに対して左右方向反対側に延出している。しかも、これら前後の棒金収納凹部４１ｄは、延出先端側ほど前後方向に互いに近接するように中央の棒金収納凹部４１ｄに対して傾斜しており、互いに平行をなしている。そして、これら前後の棒金収納凹部４１ｄのうちの前側の棒金収納凹部４１ｄの延出部分の後側と、後側の棒金収納凹部４１ｄの延出部分の前側とに、それぞれ棒金収納凹部４１ｄが中央の棒金収納凹部４１ｄと平行をなすように配置されている。
【００８８】
これにより、左右方向の中央に、４カ所の１本収納空間４７が、左右方向の位置を合わせて収納庫１２の引き出し方向である前後方向に１列に並べられている。また、左側で３カ所の１本収納空間４７が、左右方向の位置をほぼ合わせて収納庫１２の引き出し方向である前後方向に１列に並べられている。また、右側で３カ所の１本収納空間４７が、左右方向の位置をほぼ合わせて収納庫１２の引き出し方向である前後方向に１列に並べられている。
【００８９】
そして、棒金トレイ３８の棒金収納凹部４１ｄの周囲の基板部４０にも、上記と同様の輪ゴムＲを掛けるための複数の柱状の係止部５０が立設されている。係止部５０は、外側の４カ所の棒金収納凹部４１ｄの平坦壁面４２ｅの水平な垂直二等分線上に配置されている。また、係止部５０は、外側の４カ所の棒金収納凹部４１ａの隣り合うもの同士の近接する湾曲壁面４２ｄの中心同士を結んだ線の水平な垂直二等分線上に配置されている。よって、係止部５０の数は、上記と同じ８カ所となっている。これらの係止部５０は、５カ所の棒金収納凹部４１ａに満杯に収納された棒金Ｂのうちの外側の４カ所の棒金収納凹部４１ａに収納された棒金Ｂの隣り合うもの同士を結ぶ線の垂直二等分線上に配置されている。この場合も、複数の係止部５０は、棒金収納凹部４１ｄ内の満杯状態にない１本または複数本の棒金Ｂを立位状態に維持するように輪ゴムＲを係止可能となっている。
【００９０】
なお、第４実施形態の各棒金収納凹部４１ｄに第３実施形態と同様の定位置座部１１１およびセンサ１１５を設けても良い。この場合、各棒金収納凹部４１ｄの棒金配列方向に並んで分割部１１２が配置される。
【符号の説明】
【００９１】
１０  現金管理装置
１１  現金管理装置本体
１２  収納庫
１２（Ｃ）  棒金収納庫
３４  枠体
３８  棒金トレイ
４１，４１ａ，４１ｂ，４１ｄ  棒金収納凹部
５０  係止部
５２  突起部
Ｂ  棒金
Ｒ  輪ゴム
【図１】
2016091151.tif 000003
【図２】
2016091151.tif 000004
【図３】
2016091151.tif 000005
【図４】
2016091151.tif 000006
【図５】
2016091151.tif 000007
【図６】
2016091151.tif 000008
【図７】
2016091151.tif 000009
【図８】
2016091151.tif 000010
【図９】
2016091151.tif 000011
【図１０】
2016091151.tif 000012
【図１１】
2016091151.tif 000013
【図１２】
2016091151.tif 000014